(57)【要約】【課題】表示装置が表示する画像にジャダー、ハローが発生することを防ぐことができる映像処理方法および映像処理装置を提供する。【解決手段】映像処理方法は、少なくとも１つの映像のフレームレートを検出するステップ１１０と、映像のフレームレートが毎秒２４フレームであるとき、表示装置のリフレッシュレートを９６Ｈｚに調整するステップ１２０とを含む。さらに、映像処理装置は、少なくとも１つの映像のフレームレートを検出する検出ユニットと、映像のフレームレートが毎秒２４フレームであるとき、表示装置のリフレッシュレートを９６Ｈｚに調整する第１の制御ユニットとを備える。【選択図】図１
2010148084.tif 000002
【特許請求の範囲】
【請求項１】
少なくとも１つの映像のフレームレートを検出するステップと、
前記映像の前記フレームレートが毎秒２４フレームであるとき、表示装置のリフレッシュレートを９６Ｈｚに調整するステップと、を含むことを特徴とする映像処理方法。
【請求項２】
前記映像の前記フレームレートが毎秒２４フレームであるとき、前記表示装置の前記リフレッシュレートを９６Ｈｚに調整するステップは、
前記映像の前記フレームレートを毎秒２４フレームに変換するとき、前記表示装置の前記リフレッシュレートを９６Ｈｚに設定するサブステップと、
前記表示装置の前記リフレッシュレートを９６Ｈｚに設定した後、ブランキング期間において、前記表示装置の前記リフレッシュレートを９６Ｈｚに更新するサブステップと、を含むことを特徴とする請求項１に記載の映像処理方法。
【請求項３】
前記映像の前記フレームレートが毎秒３０フレームまたは毎秒６０フレームであるとき、前記表示装置の前記リフレッシュレートを１２０Ｈｚに調整するステップをさらに含むことを特徴とする請求項１に記載の映像処理方法。
【請求項４】
前記映像の前記フレームレートが毎秒２５フレームまたは毎秒５０フレームであるとき、前記表示装置の前記リフレッシュレートを１００Ｈｚに調整するステップをさらに含むことを特徴とする請求項１に記載の映像処理方法。
【請求項５】
少なくとも１つの映像のフレームレートを検出する検出ユニットと、
前記映像の前記フレームレートが毎秒２４フレームであるとき、表示装置のリフレッシュレートを９６Ｈｚに調整する第１の制御ユニットと、を備えることを特徴とする映像処理装置。
【請求項６】
前記第１の制御ユニットは、
前記映像の前記フレームレートを毎秒２４フレームに変換するとき、前記表示装置の前記リフレッシュレートを９６Ｈｚに設定する第１の設定モジュールと、
前記第１の設定モジュールにより前記表示装置の前記リフレッシュレートが９６Ｈｚに設定された後、ブランキング期間において、前記表示装置の前記リフレッシュレートを９６Ｈｚに更新する第１の更新モジュールと、を備えることを特徴とする請求項５に記載の映像処理装置。
【請求項７】
前記映像の前記フレームレートが毎秒３０フレームまたは毎秒６０フレームであるとき、前記表示装置の前記リフレッシュレートを１２０Ｈｚに調整する第２の制御ユニットをさらに備えることを特徴とする請求項５に記載の映像処理装置。
【請求項８】
前記映像の前記フレームレートが毎秒２５フレームまたは毎秒５０フレームであるとき、前記表示装置の前記リフレッシュレートを１００Ｈｚに調整する第３の制御ユニットをさらに備えることを特徴とする請求項５に記載の映像処理装置。
【発明の詳細な説明】
【技術分野】
【０００１】
本発明は制御方法およびシステムに関し、特に、映像処理方法および映像処理装置に関する。
【背景技術】
【０００２】
デジタル情報およびマルチメディアの普及および表示装置の大量生産に伴い、平面表示装置は各家庭および個人の生活に急速に普及し、高品位の画像表示装置は将来性が非常に期待されている。そのため、従来の重くて大型の陰極線管表示装置は、軽量で薄型である高品位の画像表示装置により取って代わられている。
【０００３】
現在の表示装置は、表示画像を滑らかにするために、応答時間を短くして、リフレッシュレートを向上させて１２０Ｈｚに固定されている。しかし、映像のフレームレートが毎秒２４フレームであり、表示装置のリフレッシュレート（画面表示を更新する頻度）を向上させて１２０Ｈｚに固定すると、実施形態の図２の説明で詳述するように、補間フレームの予測が不正確になり易いので、適切な補間を行うことができなかった。そのため、表示装置が表示する画像にジャダー（ｊｕｄｄｅｒ）（滑らかに移動すべきものが２回も３回も同じ場所に表示される現象）、ハロー（ｈａｌｏ）などの現象が発生し易かった。
【０００４】
そのため、映像のフレームレートが毎秒２４フレームである場合でも適切なフレームの補間を行うことができるようにして、表示画像を滑らかにし、画像にジャダー、ハローなどが発生しない表示装置が求められていた。
【発明の概要】
【発明が解決しようとする課題】
【０００５】
本発明は、上記問題点を鑑みてなされたものであり、表示装置のリフレッシュレートを向上させて応答時間を短くすることにより、表示装置が表示する画像にジャダー、ハローが発生することを防ぐことが可能な映像処理方法および映像処理装置を提供することを目的とする。
【課題を解決するための手段】
【０００６】
上記目的を達成するため、請求項１の発明は、少なくとも１つの映像のフレームレートを検出するステップと、前記映像の前記フレームレートが毎秒２４フレームであるとき、表示装置のリフレッシュレートを９６Ｈｚに調整するステップと、を含むものである。
【０００７】
請求項２の発明は、請求項１の映像処理方法において、前記映像の前記フレームレートが毎秒２４フレームであるとき、前記表示装置の前記リフレッシュレートを９６Ｈｚに調整するステップは、前記映像の前記フレームレートを毎秒２４フレームに変換するとき、前記表示装置の前記リフレッシュレートを９６Ｈｚに設定するサブステップと、前記表示装置の前記リフレッシュレートを９６Ｈｚに設定した後、ブランキング期間において、前記表示装置の前記リフレッシュレートを９６Ｈｚに更新するサブステップと、を含むものである。
【０００８】
請求項３の発明は、請求項１の映像処理方法において、前記映像の前記フレームレートが毎秒３０フレームまたは毎秒６０フレームであるとき、前記表示装置の前記リフレッシュレートを１２０Ｈｚに調整するステップをさらに含むものである。
【０００９】
請求項４の発明は、請求項１の映像処理方法において、前記映像の前記フレームレートが毎秒２５フレームまたは毎秒５０フレームであるとき、前記表示装置の前記リフレッシュレートを１００Ｈｚに調整するステップをさらに含むものである。
【００１０】
請求項５の発明は、少なくとも１つの映像のフレームレートを検出する検出ユニットと、前記映像の前記フレームレートが毎秒２４フレームであるとき、表示装置のリフレッシュレートを９６Ｈｚに調整する第１の制御ユニットと、を備える映像処理装置である。
【００１１】
請求項６の発明は、請求項５の映像処理装置において、前記第１の制御ユニットは、前記映像の前記フレームレートを毎秒２４フレームに変換するとき、前記表示装置の前記リフレッシュレートを９６Ｈｚに設定する第１の設定モジュールと、前記第１の設定モジュールにより前記表示装置の前記リフレッシュレートが９６Ｈｚに設定された後、ブランキング期間において、前記表示装置の前記リフレッシュレートを９６Ｈｚに更新する第１の更新モジュールと、を備えるものである。
【００１２】
請求項７の発明は、請求項５の映像処理装置において、前記映像の前記フレームレートが毎秒３０フレームまたは毎秒６０フレームであるとき、前記表示装置の前記リフレッシュレートを１２０Ｈｚに調整する第２の制御ユニットをさらに備えるものである。
【００１３】
請求項８の発明は、請求項５の映像処理装置において、前記映像の前記フレームレートが毎秒２５フレームまたは毎秒５０フレームであるとき、前記表示装置の前記リフレッシュレートを１００Ｈｚに調整する第３の制御ユニットをさらに備えるものである。
【発明の効果】
【００１４】
本発明の映像処理方法および映像処理装置によれば、表示装置のリフレッシュレートを向上させて応答時間を短くしつつ、容易に適切なフレームの補間を行うことができるようにして、表示装置が表示する画像にジャダー、ハローが発生することを防ぐことができる。
【図面の簡単な説明】
【００１５】
【図１】本発明の一実施形態による映像処理方法を示す流れ図である。
【図２】本発明の一実施形態による補間技術を使用してフレームの生成を示す模式図である。
【図３】本発明の他の実施形態による映像処理方法を示す流れ図である。
【図４】本発明のさらに他の実施形態による映像処理装置を示すブロック図である。
【発明を実施するための最良の形態】
【００１６】
以下、本発明の映像処理方法を説明する。本発明の映像処理方法は、表示装置に応用したり、表示方法およびシステムに応用したりすることができる。繰り返して行った実験結果によると、表示装置のリフレッシュレートが約９０Ｈｚ以上のとき、表示画像を滑らかにすることができる。以下、本発明の映像処理方法を図１および図２に基づいて具体的に説明する。
【００１７】
図１を参照する。図１は、本発明の一実施形態による映像処理方法１００を示す流れ図である。図１に示すように、映像処理方法１００は、以下のステップ１１０およびステップ１２０を含む（本実施形態で述べるステップは、特にその順序が説明されている場合を除き、実際の必要に応じて順序の前後を入れ替えることができる上、それらのステップの全てまたは一部を同時に実行することもできる。）。
【００１８】
ステップ１１０：映像のフレームレートを検出する。
ステップ１２０：映像のフレームレートが毎秒２４フレームのとき、表示装置のリフレッシュレートを９６Ｈｚに調整する。
【００１９】
詳細は後述するが、これにより、表示装置のリフレッシュレート（画面表示を更新する頻度）を向上させて応答時間を短くしつつ、容易に適切なフレームの補間を行うことができる。そのため、表示装置が表示する画像にジャダー（ｊｕｄｄｅｒ）（滑らかに移動すべきものが２回も３回も同じ場所に表示される現象）、ハロー（ｈａｌｏ）が発生することを防ぐことができる。
【００２０】
上述の映像には、複数のフレームが含まれる。この映像は、実際には映像信号またはビデオ信号でもよい。上述の表示装置は、必要に応じて液晶表示装置またはその他の表示装置でもよい。
【００２１】
ステップ１１０において、映像のフレームレートを検出すると、ビデオモードであるか否かを判断することができる。実際には、映像のフレームレートが毎秒２４フレームの場合、この映像はフイルムモード（ｆｉｌｍ  ｍｏｄｅ）に属する。映像のフレームレートが毎秒３０フレームまたは毎秒６０フレームの場合、この映像はビデオモード（ｖｉｄｅｏ  ｍｏｄｅ）に属する。同様に、映像のフレームレートが毎秒２５フレームまたは毎秒５０フレームである映像もビデオモードに属する。
【００２２】
上述のフイルムモードとは、通常フイルムを用いて毎秒２４フレームで撮影した映画である。上述のビデオモードとは、通常ビデオカメラで撮影したテレビジョン映像に対応したモードである。例えば、映像のフレームレートが毎秒２５フレームまたは毎秒５０フレームである場合、この映像は一般にＰＡＬ（Ｐｈａｓｅ  Ａｌｔｅｒｎａｔｉｏｎ  Ｌｉｎｅ）規格のテレビジョン装置（ヨーロッパ標準ＴＶ方式）に適応する。映像のフレームレートが毎秒３０フレームまたは毎秒６０フレームの場合、この映像は、一般にＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）規格のテレビジョン装置（米国標準ＴＶ方式）に適応する。
【００２３】
ステップ１２０において、映像のフレームレートが毎秒２４フレームのとき、或いは毎秒２４フレーム以外のフレームレートの映像を毎秒２４フレームのフレームレートの映像に変換するとき、表示装置のリフレッシュレートを９６Ｈｚに調整する。実際には、映像のフレームレートが毎秒２４フレームであるということは、この映像には毎秒２４フレームが含まれているということである。例えば、動き推定（ｍｏｔｉｏｎ  ｅｓｔｉｍａｔｉｏｎ）および動き補償（ｍｏｔｉｏｎ  ｃｏｍｐｅｎｓａｔｉｏｎ）技術といった補間技術を利用し、映像の連続する２つのフレームの間に３つの補間フレーム（ｉｎｔｅｒｐｏｌａｔｅｄ  ｆｒａｍｅ）を挿入する。これにより、表示装置のリフレッシュレートを容易に９６（２４×４）Ｈｚに調整することができる。
【００２４】
本実施形態のステップ１２０は、以下のサブステップ（１）およびサブステップ（２）を含む。
【００２５】
（１）映像のフレームレートを毎秒２４フレームに変換する場合、表示装置のリフレッシュレートを９６Ｈｚに設定する。
【００２６】
（２）表示装置のリフレッシュレートが９６Ｈｚに設定された後、ブランキング期間において、表示装置のリフレッシュレートを９６Ｈｚに更新する。
【００２７】
サブステップ（１）において、映像が毎秒２４フレームでないフレームレート（例えば、毎秒６０フレーム）を毎秒２４フレームのフレームレートに変換するとき、表示装置のリフレッシュレートを９６Ｈｚに設定する。
【００２８】
表示装置のリフレッシュレートを更新するとき、ユーザの視覚に悪影響が発生しないようにする。つまり、サブステップ（２）において、ユーザの視覚に悪影響が発生しないように、ブランキング期間において、表示装置のリフレッシュレートを９６Ｈｚに更新する。このように、本実施形態では、毎秒２４フレーム以外のフレームレートの映像を毎秒２４フレームのフレームレートの映像に変換するときにも、元々の映像のフレームレートが毎秒２４フレームであるときと同様に、表示装置のリフレッシュレートを９６Ｈｚに維持することができる。本実施形態のブランキング期間は、必要に応じて垂直ブランキング期間または水平ブランキング期間のいずれにしてもよい。
【００２９】
図１に示すように、映像処理方法１００は、以下のステップ１３０をさらに含んでもよい。
【００３０】
ステップ１３０：映像のフレームレートが毎秒３０フレームまたは毎秒６０フレームであるとき、表示装置のリフレッシュレートを１２０Ｈｚに調整する。
【００３１】
これにより、上記ステップ１２０の場合と同様に、表示装置のリフレッシュレートを向上させて応答時間を短くしつつ、容易に適切なフレームの補間を行うことができる。そのため、表示装置が表示する画像にジャダー、ハローなどが発生することを防ぐことができる。
【００３２】
ステップ１３０において、映像のフレームレートが毎秒３０フレーム又は毎秒６０フレームのとき、或いは毎秒３０フレームでも毎秒６０フレームでもない映像を、毎秒３０フレーム又は毎秒６０フレームのフレームレートの映像に変換するとき、表示装置のリフレッシュレートを１２０Ｈｚに調整することができる。実際には、映像のフレームレートが毎秒３０フレームまたは毎秒６０フレームであるということは、この映像には毎秒３０フレームまたは毎秒６０フレームが含まれているということである。映像のフレームレートが毎秒３０フレームである場合、補間技術（例えば、動き推定および動き補償の技術）を利用し、映像の連続する２つのフレームの間に３つの補間フレームを挿入することにより、表示装置のリフレッシュレートを１２０（３０×４）Ｈｚに調整することができる。同様に、映像のフレームレートが毎秒６０フレームである場合、補間技術を利用し、映像の連続する２つのフレームの間に１つの補間フレームを挿入することにより、表示装置のリフレッシュレートを１２０（６０×２）Ｈｚに調整することができる。
【００３３】
本実施形態のステップ１３０は、以下のサブステップ（３）およびサブステップ（４）を含む。
【００３４】
サブステップ（３）：映像のフレームレートを毎秒３０フレームまたは毎秒６０フレームに変換するとき、表示装置のリフレッシュレートを１２０Ｈｚに設定する。
【００３５】
サブステップ（４）：表示装置のリフレッシュレートを１２０Ｈｚに設定した後、ブランキング期間において、表示装置のリフレッシュレートを１２０Ｈｚに更新する。
【００３６】
サブステップ（３）において、映像が毎秒３０フレームまたは毎秒６０フレームでないフレームレート（例えば、毎秒２４フレーム）を毎秒３０フレームまたは毎秒６０フレームに変換するとき、表示装置のリフレッシュレートを１２０Ｈｚに設定する。
【００３７】
表示装置のリフレッシュレートを更新するとき、ユーザの視覚に悪影響が発生しないようにする。つまり、サブステップ（４）において、ユーザの視覚に悪影響が発生しないように、ブランキング期間において、表示装置のリフレッシュレートを１２０Ｈｚに更新する。このように、本実施形態では、毎秒３０フレームでも毎秒６０フレームでもない映像を、毎秒３０フレーム又は毎秒６０フレームのフレームレートの映像に変換するときにも、元々の映像のフレームレートが毎秒３０フレームまたは毎秒６０フレームであるときと同様に、表示装置のリフレッシュレートを１２０Ｈｚに維持することができる。本実施形態のブランキング期間は、必要に応じて垂直ブランキング期間または水平ブランキング期間のいずれにしてもよい。
【００３８】
図１に示すように、映像処理方法１００は、以下のステップ１４０をさらに含んでもよい。
【００３９】
ステップ１４０：映像のフレームレートが毎秒２５フレームまたは毎秒５０フレームであるとき、表示装置のリフレッシュレートを１００Ｈｚに調整する。
【００４０】
これにより、上記ステップ１２０の場合と同様に、表示装置のリフレッシュレートを向上させて応答時間を短くしつつ、容易に適切なフレームの補間を行うことができる。そのため、表示装置が表示する画像にジャダー、ハローなどが発生することを防ぐことができる。
【００４１】
ステップ１４０では、映像のフレームレートが毎秒２５フレーム又は毎秒５０フレームのとき、或いは毎秒２５フレームでも毎秒５０フレームでもない映像を、毎秒２５フレーム又は毎秒５０フレームのフレームレートの映像に変換するとき、表示装置のリフレッシュレートを１００Ｈｚに調整することができる。実際には、映像のフレームレートが毎秒２５フレームまたは毎秒５０フレームであるということは、この映像には毎秒２５フレームまたは毎秒５０フレームが含まれているということである。映像のフレームレートが毎秒２５フレームである場合、補間技術（例えば、動き推定および動き補償の技術）を利用し、映像の連続する２つのフレームの間に３つの補間フレームを挿入することにより、表示装置のリフレッシュレートを１００（２５×４）Ｈｚに調整することができる。同様に、映像のフレームレートが毎秒５０フレームである場合、補間技術を利用し、映像の連続する２つのフレームの間に１つの補間フレームを挿入することにより、表示装置のリフレッシュレートを１００（５０×２）Ｈｚに調整することができる。
【００４２】
本実施形態のステップ１３０は、以下のサブステップ（５）およびサブステップ（６）を含む。
【００４３】
サブステップ（５）：映像のフレームレートを毎秒２５フレームまたは毎秒５０フレームに変換するとき、表示装置のリフレッシュレートを１００Ｈｚに設定することができる。
【００４４】
サブステップ（６）：表示装置のリフレッシュレートを１００Ｈｚに設定した後、ブランキング期間において、表示装置のリフレッシュレートを１００Ｈｚに更新する。
【００４５】
サブステップ（５）において、映像が毎秒２５フレームまたは毎秒５０フレームでないフレームレート（例えば、毎秒２４フレーム）を毎秒２５フレームまたは毎秒５０フレームに変換するとき、表示装置のリフレッシュレートを１００Ｈｚに設定する。
【００４６】
表示装置のリフレッシュレートを更新するとき、ユーザの視覚に悪影響が発生しないようにする。つまり、サブステップ（６）において、ユーザの視覚に悪影響が発生しないように、ブランキング期間において、表示装置のリフレッシュレートを１００Ｈｚに更新する。このように、本実施形態では、毎秒２５フレームでも毎秒５０フレームでもない映像を、毎秒２５フレーム又は毎秒５０フレームのフレームレートの映像に変換するときにも、元々の映像のフレームレートが毎秒２５フレームまたは毎秒５０フレームであるときと同様に、表示装置のリフレッシュレートを１００Ｈｚに維持することができる。本実施形態のブランキング期間は、必要に応じて垂直ブランキング期間または水平ブランキング期間のいずれにしてもよい。
【００４７】
本実施形態の映像処理方法１００は、必要に応じて映像処理装置または制御チップに応用したり、表示装置のプログラムされた画像制御（ｐｒｏｇｒａｍｍｅｄ  ｉｍａｇｅ  ｃｏｎｔｒｏｌ）に応用したりしてもよい。
【００４８】
以下、ステップ１２０における補間技術を詳細に説明する。図２を参照する。図２は、ステップ１２０において、補間技術を使用してフレームの生成を示す模式図である。ステップ１２０では、補間技術（例えば、動き推定および動き補償の技術）を利用し、各２つの連続フレーム２１０，２２０に基づき、連続フレーム２１０，２２０間に補間フレーム２３０を挿入する。続いて、再び補間技術（例えば、動き推定および動き補償の技術）を利用し、フレーム２１０および補間フレーム２３０に基づき、フレーム２１０と補間フレーム２３０との間にもう一つの補間フレーム２３２を挿入する。同様に、フレーム２２０および補間フレーム２３０に基づき、フレーム２２０と補間フレーム２３０との間にもう一つの補間フレーム２３４を挿入する。つまり、連続する２つのフレーム２１０，２２０間に補間フレーム２３０，２３２，２３４を挿入するということである。これにより、表示装置のリフレッシュレートを容易に９６（２４×４）Ｈｚに調整することができる。さらに、３つの補間フレーム２３０，２３２，２３４を挿入するだけで、表示装置のリフレッシュレートを１２０Ｈｚに固定した場合と比べて、補間フレームの生成に必要な演算の複雑度が下がるため補間フレームに発生するエラーを防ぐことができる。これにより、映像のフレームレートが毎秒２４フレームの時に表示装置のリフレッシュレートを１２０Ｈｚに固定した場合と異なり、容易にフレームを補間することができるので、表示装置が表示する画像にジャダー、ハローなどが発生することを防ぐことができる。
【００４９】
次に、上記の本実施形態によるステップ１２０と比較するために、従来用いられてきた比較ステップ１２２の内容を説明する。この比較ステップ１２２では、補間技術を利用し、各２つの連続フレーム２１０，２２０に基づき、連続フレーム２１０，２２０間に補間フレーム２４０を挿入する。続いて、再び補間技術を利用し、フレーム２１０および補間フレーム２４０に基づき、フレーム２１０と補間フレーム２４０との間にもう一つの補間フレーム２４２を挿入する。同様に、フレーム２２０および補間フレーム２４０に基づき、フレーム２２０と補間フレーム２４０との間にさらに別の２つの補間フレーム２４４，２４６を挿入した場合、補間フレームの予測が不正確になり易い。つまり、２つの連続したフレーム２１０，２２０間に補間フレーム２４０，２４２，２４４，２４６を挿入すると、表示装置のリフレッシュレートが１２０（３０×４）Ｈｚに調整されるが、このようにリフレッシュレートを１２０Ｈｚに固定した場合には、補間フレームの予測が不正確になり易い。従って、４つの補間フレーム２４０，２４２，２４４，２４６を挿入すると、演算が複雑になり、補間フレームにエラーが発生し、表示装置が表示する画像にジャダー、ハローなどが発生することがあった。
【００５０】
図３を参照する。図３は、本発明の他の実施形態による映像処理方法３００を示す流れ図である。図３に示すように、映像処理方法３００は、以下のステップ３１０〜ステップ３５０を含む（本実施形態で述べるステップは、特にその順序が説明されている場合を除き、実際の必要に応じて順序の前後を入れ替えることができる上、それらのステップの全てまたは一部を同時に実行することもできる。）。
【００５１】
ステップ３１０：映像がフイルムモードであるか否かを検出する。
【００５２】
ステップ３２０：映像のモードがフイルムモードである場合、映像がビデオモードからフイルムモードに変換されたか否かを判断する。
【００５３】
ステップ３３０：映像がビデオモードからフイルムモードに変換された場合、表示装置のリフレッシュレートを９６Ｈｚに設定する。
【００５４】
ステップ３４０：表示装置のリフレッシュレートを９６Ｈｚに設定した後、ブランキング期間において表示装置のリフレッシュレートを９６Ｈｚに更新する。
【００５５】
ステップ３５０：映像がフイルムモードである場合、表示装置は、９６Ｈｚのリフレッシュレートにより映像を表示する。
【００５６】
ステップ３２０において、映像が常にフイルムモードであると判断した場合、ステップ３５０において、リフレッシュレートを９６Ｈｚに維持して映像を表示する。
【００５７】
これ以外に、ステップ３１０において、映像がフイルムモードでなくビデオモードであることを検出した場合、映像処理方法３００は以下のステップをさらに含む。
【００５８】
ステップ３６０：映像がビデオモードである場合、この映像がフイルムモードからビデオモードに変換されたか否かを判断する。
【００５９】
ステップ３７０：映像のモードがフイルムモードからビデオモードに変換された場合、表示装置のリフレッシュレートを１２０Ｈｚまたは１００Ｈｚに設定する。
【００６０】
ステップ３４０：表示装置のリフレッシュレートを１２０Ｈｚまたは１００Ｈｚに設定した後、ブランキング期間において、表示装置のリフレッシュレートを１２０Ｈｚまたは１００Ｈｚに更新する。
【００６１】
ステップ３５０：映像のモードがビデオモードの場合、表示装置が１２０Ｈｚまたは１００Ｈｚのリフレッシュレートにより映像を表示する。
【００６２】
さらに、ステップ３６０において、映像が常にビデオモードであると判断した場合、ステップ３５０において、リフレッシュレートを１２０Ｈｚまたは１００Ｈｚに維持して映像を表示する。
【００６３】
本実施形態の映像のフレームレートが毎秒３０フレームまたは毎秒６０フレームである場合、表示装置のリフレッシュレートを１２０Ｈｚに調整する。フレームレートが毎秒３０フレームの場合には、上記図２のステップ１２０と同様な補間方法をとることができる。また、フレームレートが毎秒６０フレームの場合は、連続する２つのフレームの間に１つの補間フレームを挿入すればよい。同様に、映像のフレームレートが毎秒２５フレームまたは毎秒５０フレームである場合、必要に応じて表示装置のリフレッシュレートを１００Ｈｚに調整する。フレームレートが毎秒２５フレームの場合も、上記図２のステップ１２０と同様な補間方法をとることができる。また、フレームレートが毎秒５０フレームの場合は、連続する２つのフレームの間に１つの補間フレームを挿入すればよい。
【００６４】
このように、表示装置のリフレッシュレートを向上させると、応答時間を短くすることができる。このため、表示装置が表示する画像にジャダー、ハローなどが発生することを防ぐことができる。さらに、ステップ３４０は、ブランキング期間において、ユーザの視覚に悪影響を与えないように、表示装置のリフレッシュレートを更新することができる。
【００６５】
以下、本発明の映像処理装置を説明する。本発明の映像処理装置は、表示装置に応用したり、表示方法およびシステムに応用したりすることができる。繰り返して行った実験結果によると、表示装置のリフレッシュレートが約９０Ｈｚ以上のとき、表示画像を滑らかにすることができる。以下、本発明の映像処理装置を図４に基づいて具体的に説明する。
【００６６】
図４を参照する。図４は、本発明の他の実施形態による映像処理装置４００を示すブロック図である。図４に示すように、映像処理装置４００は、検出ユニット４０２および第１の制御ユニット４１０を含む。本実施形態の検出ユニット４０２は、映像のフレームレートを検出することができる。第１の制御ユニット４１０は、映像のフレームレートが毎秒２４フレームであるとき、表示装置５００のリフレッシュレートを９６Ｈｚに調整する。
【００６７】
これにより、映像処理装置４００は、表示装置５００のリフレッシュレートを向上させて応答時間を短くすることができる。さらに、表示装置５００が表示する画像にジャダー、ハローなどが発生することを防ぐことができる。
【００６８】
上述の映像は、複数のフレームを含んだ映像信号、ビデオ信号などである。上述の表示装置５００は、必要に応じて液晶表示装置またはその他の装置でもよい。
【００６９】
検出ユニット４０２は、映像のフレームレートを検出することにより、ビデオモードであるか否かを判断する。実際には、映像のフレームレートが毎秒２４フレームの場合、この映像はフイルムモードに属する。フレームレートが毎秒３０フレームまたは毎秒６０フレームの場合、この映像はビデオモードに属する。同様に、フレームレートが毎秒２５フレームまたは毎秒５０フレームである映像もビデオモードに属する。
【００７０】
上述のフイルムモードとは、通常フイルムを用いて毎秒２４フレームで撮影した映像である。上述のビデオモードとは、通常ビデオカメラで撮影したテレビジョン映像である。例えば、映像のフレームレートが毎秒２５フレームまたは毎秒５０フレームである場合、この映像は一般にＰＡＬ規格のテレビジョン装置（ヨーロッパ標準ＴＶ方式）に適応する。映像のフレームレートが毎秒３０フレームまたは毎秒６０フレームの場合、この映像は一般にＮＴＳＣ規格のテレビジョン装置（米国標準ＴＶ方式）に適応する。
【００７１】
第１の制御ユニット４１０は、表示装置のリフレッシュレートを９６Ｈｚに調整する。実際には、映像のフレームレートが毎秒２４フレームであるとは、この映像には毎秒２４フレームが含まれるということである。第１の制御ユニット４１０は、補間技術（例えば、動き推定および動き補償技術）を利用し、映像の連続する２つのフレームの間に３つの補間フレームを挿入する。これにより、表示装置５００のリフレッシュレートを９６（２４×４）Ｈｚに調整することができる。
【００７２】
図４を参照する。図４に示すように、第１の制御ユニット４１０は、第１の設定モジュール４１２および第１の更新モジュール４１４を含む。本実施形態の第１の設定モジュール４１２は、映像のフレームレートを毎秒２４フレームに変換するとき、表示装置５００のリフレッシュレートを９６Ｈｚに設定する。第１の設定モジュール４１２が表示装置５００のリフレッシュレートを９６Ｈｚに設定した後、第１の更新モジュール４１４が、ブランキング期間において、表示装置５００のリフレッシュレートを９６Ｈｚに更新する。
【００７３】
上述の第１の設定モジュール４１２は、毎秒２４フレームでないフレームレート（例えば、毎秒６０フレーム）を毎秒２４フレームのフレームレートに変換するとき、表示装置５００のリフレッシュレートを９６Ｈｚに設定する。
【００７４】
表示装置５００のリフレッシュレートを更新するとき、ユーザの視覚に悪影響が発生しないようにする。つまり、第１の更新モジュール４１４は、ユーザの視覚に悪影響が発生しないように、ブランキング期間において、表示装置５００のリフレッシュレートを９６Ｈｚに更新する。このように、本実施形態では、毎秒２４フレーム以外のフレームレートの映像を毎秒２４フレームのフレームレートの映像に変換するときにも、元々の映像のフレームレートが毎秒２４フレームであるときと同様に、表示装置５００のリフレッシュレートを９６Ｈｚに維持することができる。本実施形態のブランキング期間は、必要に応じて垂直ブランキング期間または水平ブランキング期間のいずれにしてもよい。
【００７５】
図４を参照する。図４に示すように、映像処理装置４００は、第２の制御ユニット４２０をさらに含んでもよい。本実施形態の第２の制御ユニット４２０は、映像のフレームレートが毎秒３０フレームまたは毎秒６０フレームであるとき、表示装置５００のリフレッシュレートを１２０Ｈｚに調整する。
【００７６】
これにより、表示装置５００のリフレッシュレートを向上させて応答時間を短くすることができる。そのため、表示装置５００が表示する画像にジャダー、ハローなどが発生することを防ぐことができる。
【００７７】
第２の制御ユニット４２０は、表示装置のリフレッシュレートを１２０Ｈｚに調整することができる。実際には、映像のフレームレートが毎秒３０フレームまたは毎秒６０フレームであるということは、この映像には毎秒３０フレームまたは毎秒６０フレームが含まれているということである。映像のフレームレートが毎秒３０フレームである場合、第２の制御ユニット４２０は、補間技術（例えば、動き推定および動き補償の技術）を利用し、映像の連続する２つのフレームの間に３つの補間フレームを挿入することにより、表示装置のリフレッシュレートを１２０（３０×４）Ｈｚに調整することができる。同様に、映像のフレームレートが毎秒６０フレームである場合、第２の制御ユニット４２０は、補間技術を利用し、映像の連続する２つのフレームの間に１つの補間フレームを挿入することにより、表示装置のリフレッシュレートを１２０（６０×２）Ｈｚに調整することができる。
【００７８】
図４を参照する。図４に示すように、第２の制御ユニット４２０は、第２の設定モジュール４２２および第２の更新モジュール４２４を含む。本実施形態の第２の設定モジュール４２２は、映像のフレームレートが毎秒３０フレームまたは毎秒６０フレームに変換されるとき、表示装置５００のリフレッシュレートを１２０Ｈｚに設定する。第２の設定モジュール４２２が表示装置５００のリフレッシュレートを１２０Ｈｚに設定した後、第２の更新モジュール４２４が、ブランキング期間において、表示装置５００のリフレッシュレートを１２０Ｈｚに更新する。
【００７９】
上述の第２の設定モジュール４２２は、映像が毎秒３０フレームまたは毎秒６０フレームでないフレームレート（例えば、毎秒２４フレーム）を毎秒３０フレームまたは毎秒６０フレームに変換するとき、表示装置５００のリフレッシュレートを１２０Ｈｚに設定する。
【００８０】
表示装置５００のリフレッシュレートを更新するとき、ユーザの視覚に悪影響が発生しないようにする。つまり、第２の更新モジュール４２４は、ユーザの視覚に悪影響が発生しないように、ブランキング期間において、表示装置５００のリフレッシュレートを１２０Ｈｚに更新する。このように、本実施形態では、毎秒３０フレームでも毎秒６０フレームでもない映像を、毎秒３０フレーム又は毎秒６０フレームのフレームレートの映像に変換するときにも、元々の映像のフレームレートが毎秒３０フレームまたは毎秒６０フレームであるときと同様に、表示装置５００のリフレッシュレートを１２０Ｈｚに維持することができる。本実施形態のブランキング期間は、必要に応じて垂直ブランキング期間または水平ブランキング期間のいずれにしてもよい。
【００８１】
図４を参照する。図４に示すように、映像処理装置４００は、第３の制御ユニット４３０をさらに含んでもよい。本実施形態の第３の制御ユニット４３０は、映像のフレームレートが毎秒２５フレームまたは毎秒５０フレームであるとき、表示装置５００のリフレッシュレートを１００Ｈｚに調整する。
【００８２】
これにより、表示装置５００のリフレッシュレートを向上させて応答時間を短くすることができる。そのため、表示装置５００が表示する画像にジャダー、ハローなどが発生することを防ぐことができる。
【００８３】
第３の制御ユニット４３０は、表示装置５００のリフレッシュレートを１００Ｈｚに調整することができる。実際には、映像のフレームレートが毎秒２５フレームまたは毎秒５０フレームであるということは、この映像には毎秒２５フレームまたは毎秒５０フレームが含まれているということである。映像のフレームレートが毎秒２５フレームである場合、第３の制御ユニット４３０は、補間技術（例えば、動き推定および動き補償の技術）を利用し、映像の連続する２つのフレームの間に３つの補間フレームを挿入することにより、表示装置５００のリフレッシュレートを１００（２５×４）Ｈｚに調整することができる。同様に、映像のフレームレートが毎秒５０フレームである場合、第３の制御ユニット４３０は、補間技術を利用し、映像の連続する２つのフレームの間に１つの補間フレームを挿入すると、表示装置５００のリフレッシュレートを１００（５０×２）Ｈｚに調整することができる。
【００８４】
図４を参照する。図４に示すように、第３の制御ユニット４３０は、第３の設定モジュール４３２および第３の更新モジュール４３４を含む。本実施形態の第３の設定モジュール４３２は、映像のフレームレートが毎秒２５フレームまたは毎秒５０フレームである場合、表示装置５００のリフレッシュレートを１００Ｈｚに設定する。第３の設定モジュール４３２が表示装置５００のリフレッシュレートを１００Ｈｚに設定した後、第３の更新モジュール４３４が、ブランキング期間において、表示装置５００のリフレッシュレートを１００Ｈｚに更新する。ここで、ブランキング期間は垂直ブランキング期間でもよい。
【００８５】
上述の第３の設定モジュール４３２は、映像が毎秒２５フレームまたは毎秒５０フレームでないフレームレート（例えば、毎秒２４フレーム）を毎秒２５フレームまたは毎秒５０フレームに変換するとき、表示装置５００のリフレッシュレートを１００Ｈｚに設定する。
【００８６】
表示装置５００のリフレッシュレートを更新するとき、ユーザの視覚に悪影響が発生しないようにする。そのため、第３の更新モジュール４３４は、ユーザの視覚に悪影響が発生しないように、ブランキング期間において、表示装置５００のリフレッシュレートを１００Ｈｚに更新する。このように、本実施形態では、毎秒２５フレームでも毎秒５０フレームでもない映像を、毎秒２５フレーム又は毎秒５０フレームのフレームレートの映像に変換するときにも、元々の映像のフレームレートが毎秒２５フレームまたは毎秒５０フレームであるときと同様に、表示装置５００のリフレッシュレートを１００Ｈｚに維持することができる。本実施形態のブランキング期間は、必要に応じて垂直ブランキング期間または水平ブランキング期間のいずれにしてもよい。
【００８７】
上述の検出ユニット４０２、第１の制御ユニット４１０、第２の制御ユニット４２０および第３の制御ユニット４３０は、制御装置中に一体化させてもよいが、本発明はこの態様だけに限定されるわけではなく、ハードウェア回路、ソフトウェアプログラムなどの態様でこれらのユニットを実現してもよい。
【００８８】
上述の第１の設定モジュール４１２、第１の更新モジュール４１４、第２の設定モジュール４２２、第２の更新モジュール４２４、第３の設定モジュール４３２および第３の更新モジュール４３４は、ソフトウェアプログラムまたはハードウェア回路を利用して実現してもよい。当業者であれば分かるように、必ずしも全てをソフトウェアプログラムまたはハードウェア回路にする必要はなく、一部だけをソフトウェアプログラムまたはハードウェア回路にして実施してもよい。
【００８９】
本実施形態の映像処理装置４００は、必要に応じて映像処理装置または制御チップに応用したり、表示装置のプログラムされた画像制御に応用したりしてもよい。
【００９０】
当該技術分野の当業者が実施できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【符号の説明】
【００９１】
１００  映像処理方法
２１０  フレーム
２２０  フレーム
２３０  補間フレーム
２３２  補間フレーム
２３４  補間フレーム
２４０  補間フレーム
２４２  補間フレーム
２４４  補間フレーム
２４６  補間フレーム
３００  映像処理方法
４００  映像処理装置
４０２  検出ユニット
４１０  第１の制御ユニット
４１２  第１の設定モジュール
４１４  第１の更新モジュール
４２０  第２の制御ユニット
４２２  第２の設定モジュール
４２４  第２の更新モジュール
４３０  第３の制御ユニット
４３２  第３の設定モジュール
４３４  第３の更新モジュール
５００  表示装置
【図１】
2010148084.tif 000003
【図２】
2010148084.tif 000004
【図３】
2010148084.tif 000005
【図４】
2010148084.tif 000006